(57)【要約】【課題】  経路接続情報の設定等に要する時間の短縮化等を図る。【解決手段】  複数のサーバーに跨って形成される経路の経路接続情報の管理において、経路接続情報に含まれる接続情報を、共通な管理対象の接続情報と個別な管理対象の接続情報とに分けてそれらの管理を行うようにする。制御端末装置１２によって管理・制御される共通な管理対象の接続情報は、接続管理サーバー１４に、個別な管理対象の接続情報の各々は、当該接続情報対応のサーバー１６ｉにそれぞれ分散管理される。【選択図】      図１
2006074356.tif 000002
【特許請求の範囲】
【請求項１】
複数のサーバーが接続されるネットワーク内に形成される経路を管理するネットワークの経路管理方法であって、
前記サーバー間に跨って形成される経路の経路接続情報に含まれる複数の接続情報を所定の分類基準に基づいて分類し、
分類された前記接続情報を分類毎に管理することを特徴とするネットワークの経路管理方法。
【請求項２】
前記分類基準は、前記接続情報が共通な管理対象の接続情報であるか又は個別な管理対象の接続情報であるかに基づいて分類されることを特徴とする請求項１記載のネットワークの経路管理方法。
【請求項３】
複数の前記サーバーは、共通な管理対象の前記接続情報を管理する接続管理サーバーと、個別な管理対象の前記接続情報を管理するサーバーとに分けられ、前記経路の管理のための制御端末装置は、前記接続管理サーバーに対して共通な管理対象の前記接続情報についてのアクセスを行い、前記サーバーに対して個別な管理対象の前記接続情報についてのアクセスを行うことを特徴とする請求項２記載のネットワークの経路管理方法。
【請求項４】
複数の前記サーバーは、共通な管理対象の前記接続情報を管理する接続管理サーバーと、個別な管理対象の前記接続情報を管理するサーバーとに分けられ、前記経路の管理のための制御端末装置が、前記接続管理サーバーに対して共通な管理対象の前記接続情報についてのアクセスを行い、該アクセスに基づいて前記接続管理サーバーが各サーバーに対して個別な管理対象の前記接続情報についてのアクセスを行うことを特徴とする請求項２記載のネットワークの経路管理方法。
【請求項５】
共通な管理対象の前記接続情報は、前記経路の経路名と、当該経路の形成に用いられている各前記サーバーのサーバー名と、前記サーバー毎に管理している当該サーバーの入側のネットワークエレメントのネットワークエレメント名及び出側のネットワークエレメントのネットワークエレメント名並びに入側の前記ネットワークエレメントと出側の前記ネットワークエレメントとを接続する物理信号路上のタイムスロットのタイムスロット名であり、個別な管理対象の前記接続情報は、前記経路上の隣り合う前記サーバー間を接続する物理信号路の物理信号路名と該物理信号路上のタイムスロットのタイムスロット名であることを特徴とする請求項２、３又は４記載のネットワークの経路管理方法。
【請求項６】
共通な管理対象の前記接続情報は、前記経路の経路名と当該経路の形成に用いられている各前記サーバーのサーバー名であり、個別な管理対象の前記接続情報は、前記サーバー毎に管理している当該サーバーの入側のネットワークエレメントのネットワークエレメント名及び出側のネットワークエレメントのネットワークエレメント名並びに入側の前記ネットワークエレメントと出側の前記ネットワークエレメントとを接続する物理信号路上のタイムスロットのタイムスロット名と、前記経路上の隣り合う前記サーバー間を接続する物理信号路の物理信号路名と該物理信号路上のタイムスロットのタイムスロット名であることを特徴とする請求項２、３又は４記載のネットワークの経路管理方法。
【請求項７】
複数のサーバーが接続されるネットワークのいずれの前記サーバーにも接続可能な制御端末装置によって前記ネットワーク内に形成される経路を管理するネットワークの経路管理システムであって、
複数の前記サーバーは、前記サーバー間に跨って形成される経路の経路接続情報に含まれる複数の接続情報を所定の分類基準に基づいて分類した接続情報のグループ別に分けられ、分けられた複数の前記サーバーの各々は、対応する前記グループの接続情報を管理し、
前記経路の管理を行う制御端末装置は、分類された前記接続情報を管理している各サーバーに対してアクセスすることを特徴とするネットワークの経路管理システム。
【請求項８】
前記分類基準は、前記接続情報が共通な管理対象の接続情報であるか又は個別な管理対象の接続情報であるかに基づいて分類されることを特徴とする請求項７記載のネットワークの経路管理システム。
【請求項９】
複数の前記サーバーは、共通な管理対象の前記接続情報を管理する接続管理サーバーと、被監視装置が接続され個別な管理対象の前記接続情報を管理するサーバーとに分けられ、前記経路の管理のための制御端末装置は、前記接続管理サーバーに対して共通な管理対象の前記接続情報についてのアクセスを行い、前記サーバーに対して個別な管理対象の前記接続情報についてのアクセスを行うことを特徴とする請求項８記載のネットワークの経路管理システム。
【請求項１０】
複数の前記サーバーは、共通な管理対象の前記接続情報を管理する接続管理サーバーと、被監視装置が接続され個別な管理対象の前記接続情報を管理するサーバーとに分けられ、前記経路の管理のための制御端末装置が、前記接続管理サーバーに対して共通な管理対象の前記接続情報についてのアクセスを行い、該アクセスに基づいて前記接続管理サーバーが各サーバーに対して個別な管理対象の前記接続情報についてのアクセスを行うことを特徴とする請求項８記載のネットワークの経路管理システム。
【請求項１１】
共通な管理対象の前記接続情報は、前記経路の経路名と、当該経路の形成に用いられている各前記サーバーのサーバー名と、前記サーバー毎に管理している当該サーバーの入側のネットワークエレメントのネットワークエレメント名及び出側のネットワークエレメントのネットワークエレメント名並びに入側の前記ネットワークエレメントと出側の前記ネットワークエレメントとを接続する物理信号路上のタイムスロットのタイムスロット名であり、個別な管理対象の前記接続情報は、前記経路上の隣り合う前記サーバー間を接続する物理信号路の物理信号路名と該物理信号路上のタイムスロットのタイムスロット名であることを特徴とする請求項８、９又は１０記載のネットワークの経路管理システム。
【請求項１２】
共通な管理対象の前記接続情報は、前記経路の経路名と当該経路の形成に用いられている各前記サーバーのサーバー名であり、個別な管理対象の前記接続情報は、前記サーバー毎に管理している当該サーバーの入側のネットワークエレメントのネットワークエレメント名及び出側のネットワークエレメントのネットワークエレメント名並びに入側の前記ネットワークエレメントと出側の前記ネットワークエレメントとを接続する物理信号路上のタイムスロットのタイムスロット名と、前記経路上の隣り合う前記サーバー間を接続する物理信号路の物理信号路名と、該物理信号路上のタイムスロットのタイムスロット名であることを特徴とする請求項８、９又は１０記載のネットワークの経路管理システム。
【請求項１３】
コンピュータに請求項１乃至６のいずれか一に記載のネットワークの経路管理方法を実行させることを特徴とする制御プログラム。
【請求項１４】
コンピュータに請求項７乃至１２のいずれか一に記載の載のネットワークの経路管理システムを制御させることを特徴とする制御プログラム。
【発明の詳細な説明】
【技術分野】
【０００１】
この発明は、ネットワークの経路管理方法及びそのシステム並びに制御プログラムに関し、詳しくは複数のサーバーが所定の接続形態で接続されて形成されるネットワークの経路接続情報を分散管理するネットワークの経路管理方法及びそのシステム並びに制御プログラムに関する。
【背景技術】
【０００２】
通信網を構成するデジタル伝送システムには、ＳＤＨ（Ｓynchronous Ｄigital Ｈyaracky）（信号の階層多重方式の国際標準）に則って構成されるＳＤＨ網がある。
このＳＤＨ網内には、膨大な数の情報端末装置（被監視装置）間を所定の接続形態で接続する多数で、かつ、複雑な通信路（情報伝送のための経路）が形成されて構成される。
そのようなＳＤＨ網のネットワーク管理システムは、被監視装置固有の情報（例えば、当該被管理装置が接続されるサーバーのネットワークエレメントの情報、被管理装置が接続されるネットワークエレメントのタイムスロットの情報）の管理だけでなく、上記情報と被監視装置と被監視装置との間の通信路情報との組み合わせで得られる経路接続情報を管理する必要がある。
【０００３】
そのネットワーク管理システムは、システムを管理する操作者が操作を行って経路の管理・制御を行う制御端末装置と、被監視装置の経路接続情報の管理及び制御を行うサーバーとで構成される。
膨大な数の被監視装置を収容する大規模ＳＤＨ網では、１台のサーバーでそれら全ての被監視装置の管理・制御を行うことは不可能となるため、その管理・制御を複数台のサーバーで分担して行うように構成されている。
【０００４】
また、ネットワーク管理システムにおける経路接続情報についても、ネットワーク管理システムが１台のサーバーで構成されている場合には、その経路接続情報は、サーバー内だけに存在しているが、ネットワーク管理システムが複数台のサーバーで構成されるようになると、その経路接続情報は、１台のサーバー内で閉じた経路についてのものが存在しているだけでなく、複数台のサーバーに跨った経路についてのものも存在し、このような経路の経路接続情報の管理・制御を行う必要性がある。
【０００５】
そのようなネットワーク管理システムを、制御端末装置と、複数台のサーバーと、全ての経路接続情報の管理・制御のための専用サーバーとで構成し、ネットワーク管理システムにおける経路の管理・制御は、制御端末装置から専用サーバーにアクセスして行うようにしている。
【発明の開示】
【発明が解決しようとする課題】
【０００６】
上述したような専用サーバーを用いるネットワーク管理システムにおいては、制御端末装置から被監視装置を管理するサーバーを直接アクセスできない。そのため、経路の管理・制御に要する制御時間（経路接続情報の設定等に要する時間）が長く掛かるという問題がある。
また、複数の制御端末装置が１つの専用サーバーにアクセスすることとなり、経路の管理・制御についてのアクセス集中により専用サーバーの負荷負担が大きくなるという問題がある。
【０００７】
この発明は、上述の事情に鑑みてなされたもので、複数のサーバが接続されて形成されるネットワークの経路接続情報を分散管理して経路接続情報の管理・制御に要する時間の短縮化、経路接続情報へのアクセス集中の回避を達成するネットワークの経路管理方法及びそのシステム並びに制御プログラムを提供することを目的としている。
【課題を解決するための手段】
【０００８】
上記課題を解決するために、請求項１記載の発明は、複数のサーバーが接続されるネットワーク内に形成される経路を管理するネットワークの経路管理方法に係り、上記サーバー間に跨って形成される経路の経路接続情報に含まれる複数の接続情報を所定の分類基準に基づいて分類し、分類された上記接続情報を分類毎に管理することを特徴としている。
【０００９】
請求項２記載の発明は、請求項１記載のネットワークの経路管理方法に係り、上記分類基準は、上記接続情報が共通な管理対象の接続情報であるか又は個別な管理対象の接続情報であるかに基づいて分類されることを特徴としている。
【００１０】
請求項３記載の発明は、請求項２記載のネットワークの経路管理方法に係り、複数の上記サーバーは、共通な管理対象の上記接続情報を管理する接続管理サーバーと、個別な管理対象の上記接続情報を管理するサーバーとに分けられ、上記経路の管理のための制御端末装置は、上記接続管理サーバーに対して共通な管理対象の上記接続情報についてのアクセスを行い、上記サーバーに対して個別な管理対象の上記接続情報についてのアクセスを行うことを特徴としている。
【００１１】
請求項４記載の発明は、請求項２記載のネットワークの経路管理方法に係り、複数の上記サーバーは、共通な管理対象の上記接続情報を管理する接続管理サーバーと、個別な管理対象の上記接続情報を管理するサーバーとに分けられ、上記経路の管理のための制御端末装置が、上記接続管理サーバーに対して共通な管理対象の上記接続情報についてのアクセスを行い、該アクセスに基づいて上記接続管理サーバーが各サーバーに対して個別な管理対象の上記接続情報についてのアクセスを行うことを特徴としている。
【００１２】
請求項５記載の発明は、請求項２、３又は４記載のネットワークの経路管理方法に係り、共通な管理対象の上記接続情報は、上記経路の経路名と、当該経路の形成に用いられている各上記サーバーのサーバー名と、上記サーバー毎に管理している当該サーバーの入側のネットワークエレメントのネットワークエレメント名及び出側のネットワークエレメントのネットワークエレメント名並びに入側の上記ネットワークエレメントと出側の上記ネットワークエレメントとを接続する物理信号路上のタイムスロットのタイムスロット名であり、個別な管理対象の上記接続情報は、上記経路上の隣り合う上記サーバー間を接続する物理信号路の物理信号路名と該物理信号路上のタイムスロットのタイムスロット名であることを特徴としている。
【００１３】
請求項６記載の発明は、請求項２、３又は４記載のネットワークの経路管理方法に係り、共通な管理対象の上記接続情報は、上記経路の経路名と当該経路の形成に用いられている各上記サーバーのサーバー名であり、個別な管理対象の上記接続情報は、上記サーバー毎に管理している当該サーバーの入側のネットワークエレメントのネットワークエレメント名及び出側のネットワークエレメントのネットワークエレメント名並びに入側の上記ネットワークエレメントと出側の上記ネットワークエレメントとを接続する物理信号路上のタイムスロットのタイムスロット名と、上記経路上の隣り合う上記サーバー間を接続する物理信号路の物理信号路名と該物理信号路上のタイムスロットのタイムスロット名であることを特徴としている。
【００１４】
請求項７記載の発明は、複数のサーバーが接続されるネットワークのいずれの上記サーバーにも接続可能な制御端末装置によって上記ネットワーク内に形成される経路を管理するネットワークの経路管理システムに係り、複数の上記サーバーは、上記サーバー間に跨って形成される経路の経路接続情報に含まれる複数の接続情報を所定の分類基準に基づいて分類した接続情報のグループ別に分けられ、分けられた複数の上記サーバーの各々は、対応する上記グループの接続情報を管理し、上記経路の管理を行う制御端末装置は、分類された上記接続情報を管理している各サーバーに対してアクセスすることを特徴としている。
【００１５】
請求項８記載の発明は、請求項７記載のネットワークの経路管理システムに係り、上記分類基準は、上記接続情報が共通な管理対象の接続情報であるか又は個別な管理対象の接続情報であるかに基づいて分類されることを特徴としている。
【００１６】
請求項９記載の発明は、請求項８記載のネットワークの経路管理システムに係り、複数の上記サーバーは、共通な管理対象の上記接続情報を管理する接続管理サーバーと、被監視装置が接続され個別な管理対象の上記接続情報を管理するサーバーとに分けられ、上記経路の管理のための制御端末装置は、上記接続管理サーバーに対して共通な管理対象の上記接続情報についてのアクセスを行い、上記サーバーに対して個別な管理対象の上記接続情報についてのアクセスを行うことを特徴としている。
【００１７】
請求項１０記載の発明は、請求項８記載のネットワークの経路管理システムに係り、複数の上記サーバーは、共通な管理対象の上記接続情報を管理する接続管理サーバーと、被監視装置が接続され個別な管理対象の上記接続情報を管理するサーバーとに分けられ、上記経路の管理のための制御端末装置が、上記接続管理サーバーに対して共通な管理対象の上記接続情報についてのアクセスを行い、該アクセスに基づいて上記接続管理サーバーが各サーバーに対して個別な管理対象の上記接続情報についてのアクセスを行うことを特徴としている。
【００１８】
請求項１１記載の発明は、請求項８、９又は１０記載のネットワークの経路管理システムに係り、共通な管理対象の上記接続情報は、上記経路の経路名と、当該経路の形成に用いられている各上記サーバーのサーバー名と、上記サーバー毎に管理している当該サーバーの入側のネットワークエレメントのネットワークエレメント名及び出側のネットワークエレメントのネットワークエレメント名並びに入側の上記ネットワークエレメントと出側の上記ネットワークエレメントとを接続する物理信号路上のタイムスロットのタイムスロット名であり、個別な管理対象の上記接続情報は、上記経路上の隣り合う上記サーバー間を接続する物理信号路の物理信号路名と該物理信号路上のタイムスロットのタイムスロット名であることを特徴としている。
【００１９】
請求項１２記載の発明は、請求項８、９又は１０記載のネットワークの経路管理システムに係り、共通な管理対象の上記接続情報は、上記経路の経路名と当該経路の形成に用いられている各上記サーバーのサーバー名であり、個別な管理対象の上記接続情報は、上記サーバー毎に管理している当該サーバーの入側のネットワークエレメントのネットワークエレメント名及び出側のネットワークエレメントのネットワークエレメント名並びに入側の上記ネットワークエレメントと出側の上記ネットワークエレメントとを接続する物理信号路上のタイムスロットのタイムスロット名と、上記経路上の隣り合う上記サーバー間を接続する物理信号路の物理信号路名と、該物理信号路上のタイムスロットのタイムスロット名であることを特徴としている。
【００２０】
請求項１３記載の発明は、コンピュータに請求項１乃至６のいずれか一に記載のネットワークの経路管理方法を実行させることを特徴とする制御プログラムに係る。
【００２１】
請求項１４記載の発明は、コンピュータに請求項７乃至１２のいずれか一に記載の載のネットワークの経路管理システムを制御させることを特徴とする制御プログラムに係る。
【発明の効果】
【００２２】
複数のサーバーに跨って形成さる経路の経路接続情報に含まれる接続情報を所定の分類基準に基づいて分類して分散管理する構成を採用しているので、経路接続情報の管理・制御に要する時間の短縮化を達成することができる。
また、上述のような情報の分散管理により、その情報へのアクセス集中を回避することができる。
【発明を実施するための最良の形態】
【００２３】
複数のサーバーに跨って形成さる経路の経路接続情報に含まれる接続情報を所定の分類基準に基づいて分類し、分類された接続情報を分類毎に管理するようにして構成される。
【実施例１】
【００２４】
図１は、この発明の実施例１であるネットワークの経路管理システムの概略構成を示す図である。
この実施例のネットワークの経路管理システム１０は、大規模ＳＤＨ網に設けられる複数のサーバーに跨る経路（サーバー間経路）の管理・制御に当該経路の経路接続情報に含まれる接続情報を分類し、分類された接続情報毎に分散管理して経路の管理・制御に要する時間の短縮化等を達成するシステムに係り、制御端末装置１２と、接続管理サーバー１４と、複数のサーバー１６ｉ（ｉ＝１、２、…、Ｍのうちの１つ）とから構成されている。
【００２５】
一方、大規模ＳＤＨ網は、複数のサーバー毎に当該サーバーに接続される被監視装置群１８ｉがあり、これらの被監視装置群毎にこれに属する複数の被監視装置のうちの２つの被監視装置の間に２つの該被監視装置が属するサーバーを介して経路（通信路）が形成されるばかりでなく、異なる被監視装置群にそれぞれ属する２つの被監視装置の間に複数のサーバーに跨って経路（通信路）が形成され得るようにしてその全体が構築されている。
この大規模ＳＤＨ網に形成される経路の管理を行うのが、上記ネットワーク管理システム１０である。
【００２６】
制御端末装置１２と、接続管理サーバー１４と、複数のサーバー１６ｉとは、例えば、光ファイバー２０で相互に接続されている。
制御端末装置１２は、大規模ＳＤＨ網内の情報伝送のための経路の管理・制御のための端末装置であり、ネットワーク管理システム１０の操作者が制御端末装置１２の画面を見ながら、大規模ＳＤＨシステム内の経路の管理・制御のための所定の操作を接続管理サーバー１４と、経路の管理・制御の対象となるサーバー１６ｉに対して行うための手段である。
【００２７】
経路の管理とは、大規模ＳＤＨ網内に設定しようとする経路の設定、更新等をいい、経路の制御とは、経路の管理において必要となる情報の送受信をいう。
また、操作とは、通信経路の表示等を操作者に視認させる情報の取得や、操作者が接続管理サーバー１４及びサーバー１６ｉに対して行う設定、更新等のための操作をいう。
【００２８】
接続管理サーバー１４は、複数のサーバーに跨る通信路、すなわち、両端のサーバーに属する被監視装置群内の被監視装置間に複数のサーバーを径由して形成される経路（サーバー間経路）の経路接続情報に含まれる接続情報を所定の分類基準に基づいて分類された共通な管理対象の接続情報（第１のグループの接続情報という）を管理・保持する。第１のグループの接続情報は、上記経路の経路名と、当該経路の形成に用いられている各サーバーのサーバー名と、各サーバー自身が管理している当該サーバー内で上記経路を形成している経路部分の接続情報（各サーバーの入側のネットワークエレメントのネットワークエレメント名及び出側のネットワークエレメントのネットワークエレメント名並びに入側のネットワークエレメントと出側のネットワークエレメントとを接続する光ファイバー（物理的信号路）上のタイムスロットのタイムスロット名）である。
【００２９】
サーバー１６ｉの各々は、各別に、自己に属する被監視装置群１８ｉ内の被監視装置間の情報伝送のための経路（サーバー内経路）の経路接続情報を直接に管理・制御するほか、サーバー間経路の経路接続情報のうちの個別な管理対象の接続情報（以下、第２のグループの接続情報という）をも管理・制御する。
第２のグループの接続情報は、サーバー間経路の形成に用いられる隣り合うサーバーの接続セクションの接続セクション名と接続セクション上のタイムスロットのタイムスロット名である。
【００３０】
接続セクションとは、隣り合うサーバーの一方のサーバーにおける複数のネットワークエレメントのうちから選択された１つのネットワークエレメントと他方のサーバーにおける複数のネットワークエレメントのうちから選択された１つのネットワークエレメントとを接続する物理的信号路、例えば、光ファイバー、電気ケーブルである。
したがって、サーバー間経路の経路接続情報のうちの第２のグループの接続情報は、サーバー間経路の形成に用いられる各サーバーで個別に管理・制御される。
【００３１】
上述した制御端末装置１２、接続管理サーバー１４及びサーバー１６ｉは、いずれも、コンピュータを主体に構成されている。したがって、制御端末装置１２、接続管理サーバー１４及びサーバー１６ｉで行われる処理は、プログラム処理によって遂行される。
【００３２】
次に、図１を参照して、この実施例の動作について説明する。
制御端末装置１２が、例えば、サーバー１６２によって管理されている被監視装置群１８２内の情報伝送に用いられる経路（パス）１を管理・制御する場合には、サーバー１６２に対してアクセスを行い、サーバー１６２に属する被監視装置間の経路の経路接続情報を設定し、又は取り込んで、その経路の管理・制御を行う。
【００３３】
異なるサーバーに属する被監視装置群内の被監視装置間の情報伝送に用いられる経路（サーバー間経路）、例えば、サーバー１６１が管理する被監視装置群１８１に属する被監視装置から、サーバー１６２を経て、サーバー１６３（図示せず）が管理する被監視装置群１８３（図示せず）に属する被監視装置までの経路（パス）２を管理・制御する場合の上記パス２の経路接続情報のうちの第１及び第２のグループの接続情報は、次のように保持されるとする。
【００３４】
すなわち、パス２の経路接続情報のうちの第１のグループの接続情報、すなわち、サーバー間経路の経路名と、当該経路の形成に用いられている各サーバーのサーバー名と、各サーバー自身が管理している上記サーバー間経路を構成する経路部分の接続情報（各サーバーの入側のネットワークエレメントのネットワークエレメント名及び出側のネットワークエレメントのネットワークエレメント名並びに入側のネットワークエレメントと出側のネットワークエレメントとを接続する光ファイバー上のタイムスロットのタイムスロット名）は、制御端末装置１２の制御の下に接続管理サーバー１６に初期的に設定されて保持される。
また、上記パス２の経路接続情報のうちの第２のグループの接続情報、すなわち、隣り合うサーバー間の接続セクションの接続セクション名と接続セクション上のタイムスロットのタイムスロット名は、サーバー１４１、サーバー１４２、及びサーバー１４３の各々に制御端末装置１２の制御の下に初期的に設定されて保持される。
【００３５】
このような初期的な管理・制御が行われた後のネットワーク管理システム１０の制御端末装置１２において、大規模ＳＤＨ網内の情報伝送のための経路、例えば、経路２（サーバー間経路）の管理・制御を行おうとするとき、制御端末装置１２は、接続管理サーバー１４に対してアクセスして接続管理サーバー１６から経路２の経路接続情報のうちの第１のグループの接続情報、すなわち、サーバー間経路の経路名と、当該経路の形成に用いられている各サーバーのサーバー名と、各サーバー自身が管理している上記サーバー間経路を構成する経路部分の接続情報（各サーバーの入側のネットワークエレメントのネットワークエレメント名及び出側のネットワークエレメントのネットワークエレメント名並びに入側のネットワークエレメントと出側のネットワークエレメントとを接続する光ファイバー上のタイムスロットのタイムスロット名）を受け取る。
【００３６】
これと共に、制御端末装置１２は、受け取った第１のグループの接続情報のうちの各サーバー名で当該サーバーに対してアクセスし、サーバー毎に管理されている第２のグループの接続情報、すなわち、各サーバーにおいて、隣り合うサーバー間の接続セクションの接続セクション名と、接続セクション上のタイムスロットのタイムスロット名とを得、また、サーバー間経路の両端のサーバーについては、被監視装置を接続する当該サーバーのネットワークエレメントのネットワークエレメント名をも得ることにより、複数のサーバーに跨る経路を認識してその経路の管理・制御を行う。
【００３７】
このようにして、サーバー間経路の経路接続情報に含まれる複数の接続情報を所定の分類基準に基づいて分類して分散管理する。この経路接続情報の分散管理により、第２のグループの接続情報をサーバーに直接アクセスし得ることになり、その情報の管理・制御に要する時間の短縮化を達成することができる。また、上述のような情報の分散管理により、その情報へのアクセス集中を回避することができる。
【００３８】
このように、この実施例の構成によれば、サーバー間経路の経路接続情報を所定の分類基準に基づいて分類して分散管理する構成を採用しているので、経路接続情報の管理・制御に要する時間の短縮化を達成することができる。
また、上述のような情報の分散管理により、その情報へのアクセス集中を回避することができる。
【実施例２】
【００３９】
図２は、この発明の実施例２であるネットワークの経路管理システムの電気的構成を示す図である。
この実施例の構成が、実施例１のそれと大きく異なる点は、制御端末装置によるサーバーへのアクセスを接続管理サーバーを介して行うようにした点である。
すなわち、図２において、制御端末装置１２Ａは、大規模ＳＤＨ網内の情報伝送のための経路の管理・制御のための端末装置であり、ネットワーク管理システム１０Ａの操作者が制御端末装置１２Ａの画面を見ながら、大規模ＳＤＨシステム内の経路の管理・制御のための所定の操作を接続管理サーバー１４Ａに対して行うための手段である。
この実施例における経路の管理、経路の制御及び操作の意味は、実施例１と同じである。
【００４０】
接続管理サーバー１４Ａは、制御端末装置１２Ａで行われる所定の操作により接続管理サーバー１４Ａに対して送出される管理・制御の要求に応答して管理・制御の要求対応の処理を行うサーバーである。
管理・制御の要求の内容としては、実施例１で説明した第１のグループの接続情報の管理・制御を接続管理サーバー１４Ａに生ぜしめること及び保持している第１のグループの接続情報の制御端末装置１２Ａへの転送を行わせることのほか、制御端末装置１２Ａから管理・制御の要求を受けたとき、実施例１で説明した第２のグループの接続情報の管理・制御をサーバー１６Ａｉに生ぜしめること、保持している第２のグループの接続情報の接続管理サーバー１４Ａへの転送をサーバー１６Ａｉに生ぜしめること及び転送されて来た第２のグループの接続情報の制御端末装置１２Ａへの転送を行わせることである。
【００４１】
サーバー１６Ａｉの各々は、接続管理サーバー１４Ａからサーバー１６Ａｉに対して送出される各別の管理・制御の要求に基づいて自己に属する被監視装置群１８ｉ内の被監視装置間の経路（サーバー内経路）の経路接続情報を管理・制御し、保持している経路接続情報の接続管理サーバー１４Ａへの転送処理を行うほか、接続管理サーバー１４からサーバー１６Ａｉに対して送出される各別の管理・制御の要求に基づいて実施例１で説明した第２のグループの接続情報をも管理・制御し、保持している第２のグループの接続情報の接続管理サーバー１４Ａへの転送処理を行う。
この構成以外のこの実施例の構成は、実施例１と同じであるので、同一の構成部分には同一の参照符号を付して、その逐一の説明は省略する。
【００４２】
次に、図１を参照して、この実施例の動作について説明する。
制御端末装置１２Ａが、或るサーバー１６Ａｉに属する被監視装置群１８ｉ内の経路（パス）を管理・制御する場合には、接続管理サーバー１４Ａに対してサーバー１６Ａｉに対する経路の管理・制御の要求を送出し、この要求を受けた接続管理サーバー１４Ａは、サーバー１６Ａｉに属する被監視装置間の経路の経路接続情報をサーバー１６Ａｉから設定し又は取り込み、制御端末装置１２Ａへ返送してその経路の管理・制御を行う。
【００４３】
異なるサーバーに属する被監視装置群内の被監視装置間の経路（サーバー間経路）、例えば、サーバー１６Ａ１が管理する被監視装置群１８１に属する被監視装置から、サーバー１６Ａ２を経て、サーバー１６Ａ３（図示せず）が管理する被監視装置群１８３（図示せず）に属する被監視装置までの経路（パス）２の管理・制御における上記パス２の経路接続情報のうちの第１及び第２のグループの接続情報の保持は、実施例１と同じであるが、その保持される両接続情報の管理・制御は、以下に述べるように、実施例１と異なる。
【００４４】
すなわち、制御端末装置１２Ａがパス２の管理・制御を行う場合の第１のグループの接続情報の保持は、接続管理サーバー１４Ａとなり、制御端末装置１２Ａがパス２の管理・制御を行う場合の第２のグループの接続情報の保持は、サーバー１６１、サーバー１６２及びサーバー１６３となることは、実施例１と同じである。
上述のようなパス２の管理・制御に必要な要求は、制御端末装置１２Ａから接続管理サーバー１４Ａに対して送出され、当該要求対応の処理のうちの接続管理サーバー１４Ａについての処理は接続管理サーバー１４Ａで行われてパス２のための第１のグループの接続情報は接続管理サーバー１４Ａで保持される。
【００４５】
また、上記要求対応の処理のうちのサーバー１６１、サーバー１６２又はサーバー１６３についての処理は、制御端末装置１２Ａの制御の下に、対応サーバーでそれぞれ行われ、パス２のためのサーバー毎の第２のグループの接続情報は、それぞれ、サーバー１６１、サーバー１６２及びサーバー１６３で保持される。
このようにして、パス２の管理・制御は行われる。
【００４６】
つまり、この実施例におけるパス２の管理・制御は、制御端末装置１２Ａからパス２の管理・制御に必要な要求を制御端末装置１２Ａから接続管理サーバー１４Ａに対して送出し、当該要求対応の処理のうちの接続管理サーバー１４Ａについての管理・制御を接続管理サーバー１４Ａで行わせる一方、接続管理サーバー１４Ａの制御の下に、上記要求対応の処理のうちのサーバー１６１、サーバー１６２又はサーバー１６３についての管理・制御をサーバー１６１、サーバー１６２又はサーバー１６３で行わせる。
【００４７】
上述したように、サーバー間経路の経路接続情報に含まれる複数の接続情報を所定の分類基準に基づいて分類して分散管理する。この経路接続情報の分散管理により、その情報の管理・制御に要する時間の短縮化を達成することができる。また、上述のような情報の分散管理により、その情報へのアクセス集中を回避することができる。
【００４８】
このように、この実施例の構成によれば、サーバー間経路の経路接続情報を所定の分類基準に基づいて分類して分散管理する構成を採用しているので、経路接続情報の管理・制御に要する時間の短縮化を達成することができる。
また、上述のような情報の分散管理により、その情報へのアクセス集中を回避することができる。
【００４９】
以上、この発明の実施例を図面を参照して詳述してきたが、この発明の具体的な構成は、これらの実施例に限られるものではなく、この発明の要旨を逸脱しない範囲の設計の変更等があってもそれらはこの発明に含まれる。
例えば、複数のサーバーを跨って形成される経路の経路接続情報を実施例１及び実施例２では所定の分類基準に基づいて２つの接続情報に分けている例について説明したが、これに限られるものではない。
【００５０】
また、実施例１及び実施例２では、複数のサーバーを跨って形成される経路（サーバー間経路）の経路接続情報を２つのグループ、すなわち、経路の経路名、当該経路の形成に用いられている各サーバーのサーバー名及び各サーバー自身が管理している当該サーバー内で上記経路を形成している経路部分の接続情報（各サーバーの入側のネットワークエレメントのネットワークエレメント名及び出側のネットワークエレメントのネットワークエレメント名並びに入側のネットワークエレメントと出側のネットワークエレメントとを接続する光ファイバー（物理的信号路）上のタイムスロットのタイムスロット名）と、サーバー間経路の形成に用いられる隣り合うサーバーの接続セクションの接続セクション名及び接続セクション上のタイムスロットのタイムスロット名とに分ける例を説明したが、経路の経路名及び当該経路の形成に用いられている各サーバーのサーバー名と、各サーバー自身が管理している当該サーバー内で上記経路を形成している経路部分の接続情報（各サーバーの入側のネットワークエレメントのネットワークエレメント名及び出側のネットワークエレメントのネットワークエレメント名並びに入側のネットワークエレメントと出側のネットワークエレメントとを接続する光ファイバー（物理的信号路）上のタイムスロットのタイムスロット名）、サーバー間経路の形成に用いられる隣り合うサーバーの接続セクションの接続セクション名及び接続セクション上のタイムスロットのタイムスロット名とに分けるようにして分散管理してもよい。
【００５１】
実施例１及び実施例２で開示する発明は、ＳＤＨ網以外で、同種の技術的課題を解決するネットワークにおいても実施し得る。
【図面の簡単な説明】
【００５２】
【図１】この発明の実施例１であるネットワークの経路管理システムの概略構成を示す図である。
【図２】この発明の実施例２であるネットワークの経路管理システムの概略構成を示す図である。
【符号の説明】
【００５３】
１０、１０Ａ      ネットワークの経路管理システム
１２、１２Ａ      制御端末装置
１４、１４Ａ      接続管理サーバー
１６ｉ、１６Ａｉ      サーバー
１８ｉ      被監視装置
【図１】
2006074356.tif 000003
【図２】
2006074356.tif 000004